(57)【特許請求の範囲】
【請求項１】
建築途上又は引越し時における建築構造物の壁面養生パネル(１０２)の押え保持具であって、
プラスチック段ボール材(１)により形成された床面(１００)上に定置される載置板部(７)と該載置板部(７)に対し９０〜１００度の範囲内から選択された折り曲げ角度で、かつ凹溝状折り目線(６)を介して折り曲げ形成された前記壁面養生パネル(１０２)を押える養生パネル押え板部(８)を有する略L型体にして、前記養生パネル押え板部(８)の縦方向には、上部から前記載置板部(７)との折り曲げ境界基部までに亘ってそれぞれ内側に向いた左右対称のコ字形の切り込み(１３)により形成された補強リブ片部(１４)が、凹溝状縦折り目線(９)を介して観音開き状に略直角に折り曲げられて形成されるとともに、これら補強リブ片部(１４)のそれぞれの下端外側面には、補強リブ片部の厚さを増して前記載地板部(７)の上面との密接面積を大きくして、前記養生パネル押え板部（８）の支持を強化するため、プラスチック段ボール材からなる補強片(１６)が重合接着され、前記載置板部(７)における前記床面(１００)との対接面には、該床面(１００)に密着して動かないようにするため、着脱自在な滑り止め部材(１９)が接着されて構成され、
前記載置板部(７)の前記滑り止め部材(１９)を介して前記床面(１００)上に定置され、前記養生パネル押え板部(８)と壁面(１０１)により前記養生パネル(１０２)が起立状に押えられて保持され、前記壁面(１０１)が養生保護される構成を特徴とする建築途上又は引越し時における建築構造物の壁面養生パネルの起立保持具。
【請求項２】
前記養生パネル押え板部(８)における前記左右の補強リブ片部(１４)間に、例えば「養生中」、「整理整頓」、「火気厳禁」、「土足厳禁」、「安全第一」等の表示部(１７)が設けられた請求項1の建築途上又は引越し時における建築構造物の壁面養生パネルの起立保持具。
【請求項３】
前記着脱自在な滑り止め部材(１９)が、ポリプロピレン、ポリエチレン等の柔軟性、屈撓生に富むフィルム状基材(２１)の片面に連続微細孔(２３)を有する吸着盤構造のウレタンフォーム吸着層(２２)が形成されてなる吸着脱自在なシート部材(２０)である請求項1の建築途上又は引越し時における建築構造物の壁面養生パネルの起立保持具。
【請求項４】
前記着脱自在な滑り止め部材(１９)が、弱粘着のラバー網目状シート部材(２５)である請求項1の建築途上又は引越し時における建築構造物の壁面養生パネルの起立保持具。
【発明の詳細な説明】
【技術分野】
【０００１】
本発明は家屋の新築、改修等の工事中、或いは工事完成から入居するまでの間、更には引越し時において建築構造物の壁面を一時的に養生保護するため、これら被養生壁面を養生するベニヤ板やプラスチック板等の養生パネルを壁面に沿って起立状に保持するための建築途上又は引越し時における建築構造物の壁面養生パネルの起立保持具に関するものである。
【背景技術】
【０００２】
従来、建築途上又は引越し時における建築構造物の壁面の養生保護は、全体が略Ｌ字形をした所謂ブックスタンド型の保持具を用い、該保持具における押さえ板部で養生パネルを壁面との間で押さえ付けて養生をしていた。
【０００３】
ところが、従来の保持具は、全体がブリキ板やプラスチック板で作られていたため、前者においては、重量的に重くて取り扱い上不便であり、又ブリキ板のために錆びが出て、床面等を汚してしまうという問題点があり、又後者においては、重量的には軽くて、養生パネルの重さにより動いてしまい、養生パネルが前倒れしてしまうという問題点があった。
【発明の開示】
【発明が解決しようとする課題】
【０００４】
本発明が解決しようとする問題点は、重量的に重くて床面等を汚してしまうという点であり、又養生パネルの重さで動いてしまって、養生パネルが前倒れしてしまうという点である。
【０００５】
したがって、本発明の目的は、床面を汚すことなく、又動くこともなくて養生パネルを一時的に被養生壁面に沿い起立状に保持して、壁面を養生保護することができる建築途上又は引越し時における建築構造物の壁面養生パネルの起立保持具を提供することにある。
【課題を解決するための手段】
【０００６】
この目的のため、本発明の請求項1に記載の建築途上又は引越し時における建築構造物の壁面養生パネルの起立保持具は、建築途上又は引越し時における建築構造物の壁面養生パネル１０２の押え保持具であって、
プラスチック段ボール材１により形成された床面１００上に定置される載置板部７と該載置板部７に対し９０〜１００度の範囲内から選択された折り曲げ角度で、かつ凹溝状折り目線６を介して折り曲げ形成された前記壁面養生パネル１０２を押える養生パネル押え板部８を有する略L型体にして、前記養生パネル押え板部８の縦方向には、上部から前記載置板部７との折り曲げ境界基部までに亘ってそれぞれ内側に向いた左右対称のコ字形の切り込み１３により形成された補強リブ片部１４が、凹溝状縦折り目線９を介して観音開き状に略直角に折り曲げられて形成されるとともに、これら補強リブ片部１４のそれぞれの下端外側面には、補強リブ片部の厚さを増して前記載地板部７の上面との密接面積を大きくして、前記養生パネル押え板部８の支持を強化するため、プラスチック段ボール材からなる補強片１６が重合接着され、前記載置板部７における前記床面１００との対接面には該床面１００に密着して動かないようにするため、着脱自在な滑り止め部材１９が接着されて構成され、
前記載置板部７の前記滑り止め部材１９を介して前記床面１００上に定置され、前記養生パネル押え板部８と壁面１０１により前記養生パネル１０２が起立状に押えられて保持され、前記壁面１０１が養生保護される構成を特徴とするものである。
【０００７】
本発明の請求項２に記載の建築途上又は引越し時における建築構造物の壁面養生パネルの起立保持具は、前記養生パネル押え板部８における前記左右の補強リブ片部１４間に、例えば「養生中」、「整理整頓」、「火気厳禁」、「土足厳禁」、「安全第一」等の表示部１７が設けられたことを特徴とするものである。
【０００８】
本発明の請求項３に記載の建築途上又は引越し時における建築構造物の壁面養生パネルの起立保持具は、前記着脱自在な滑り止め部材１９が、ポリプロピレン、ポリエチレン等の柔軟性、屈撓生に富むフィルム状基材２１の片面に連続微細孔２３を有する吸着盤構造のウレタンフォーム吸着層２２が形成されてなる吸着脱自在なシート部材２０であることを特徴とするものである。
【０００９】
本発明の請求項４に記載の建築途上又は引越し時における建築構造物の壁面養生パネルの起立保持具は、前記着脱自在な滑り止め部材１９が、弱粘着のラバー網目状シート部材２５であることを特徴とするものである。
【発明の効果】
【００１０】
本発明に係る建築途上又は引越し時における建築構造物の壁面養生パネルの起立保持具によれば、全体がプラスチックダンボール材１によって形成されているから、軽量にして、強靭であり、しかも床面１００に対する着脱自在な滑り止め部材１９が設けられているから、多少の水膜や塵埃があっても確実に密着して動くことがなく、又、取り外しする場合にも、下地を剥がしたり、のりを残したりして床面１００を汚すことなくきれいに、かつ容易に剥がすことができて、養生パネル１０２を被養生壁面１０１に沿って起立状に保持し得て、壁面１０１を養生保護し得るものである。
【００１１】
又、本発明に係る建築途上又は引越し時における建築構造物の壁面養生パネルの起立保持具によれば、養生パネル押え板部８は少なくとも２個所におけるそれぞれの補強リブ片部１４と補強片１６によって補強支持されているから、構造上において堅牢で、養生パネル１０２を確実に押えることがでる。
【００１２】
又、本発明に係る建築途上又は引越し時における建築構造物の壁面養生パネルの起立保持具によれば、養生パネル押え板部８の中央部に形成の表示部１７に「養生中」、「整理整頓」、「火気厳禁」、「土足厳禁」、「安全第一」等の文字を表示し、或いはこれらを表示したラベルを貼ることにより、一見して養生中であることが目視し得て、注意を喚起し得るものである。
【００１３】
又、本発明に係る建築途上又は引越し時における建築構造物の壁面養生パネルの起立保持具によれば、養生パネル押え板部８は載置板部７に対して９０〜１００度の範囲内から選択された折り曲げ角度で、かつ凹溝状折り目線６を介して折り曲げられ、又、左右対称のコ字形の切り込み１３により形成された補強リブ片部１４は、凹溝状縦折り目線９を介して観音開き状に略直角に折り曲げられて形成されているから、養生パネル押え板部８と補強リブ片部１４はその折り曲げ状態がそのまま良好に保持され、反発して元に戻るということはなく、養生パネル１０２を押し付けて養生保護し得るものである。
【発明を実施するための最良の形態】
【００１４】
以下に図面を参照して、本願に係る発明を実施するための最良の形態についてその作用と共に説明する。
【００１５】
図１は本発明に係る建築途上又は引越し時における建築構造物の壁面養生パネルの起立保持具の一例での一部部材（補強片）を省略して示す展開図、図２は図１の２−２線に沿った一部省略の拡大断面図、図３は本発明に係る建築途上又は引越し時における建築構造物の壁面養生パネルの起立保持具の一例を示す正面図で、これら図において、本保持具は全体がプラスチックダンボール材１から形成されている。
【００１６】
プラスチックダンボール材１は、相対向する板面２、３間が多数の仕切部４を介して一定方向に等間隔で多数の中空部５が形成され、かつ各中空部５の両端開口部が閉塞されたもので、ポリカーボネート、ポリプロピレン等の樹脂材により一体成形されている。
【００１７】
プラスチックダンボール材1は、展開状態においては所定の幅と長さをもった縦長矩形状体であって、熱加工又は押圧加工により形成された凹溝状折り目線６を介して折り曲げされて載置板部７と養生パネル押え板部８を有する略Ｌ型体とされている。
【００１８】
なお、凹溝状折り目線６の断面形状は、図２に示された後述の補強リブ板部の凹溝状折り目線と同じように、板面２、３の外面に対称形に形成されたコ字形状を呈し、これにより略Ｌ形状の折り曲げ状態が反発して元に戻ることなく、そのまま折り曲げ状態が良好に保持されるようになっている。
【００１９】
養生パネル押え板部８の長さは、載置板部７の長さよりも長く設定されており、又、載置板部７と養生パネル押え板部８との折り曲げ角度は９０〜１００度の範囲内から選択される。
これは９０度以上の角度であると、養生パネル押え板部８がやや外向きに傾斜し、これにより養生パネル１０２を押し付けることになるからである。  
【００２０】
養生パネル押え板部８における縦方向には、外側において上部から載置板部７との折り曲げ境界基部までに亘ってそれぞれ内側に向いた左右対称のコ字形の切り込み１３により形成された補強リブ片部１４が、凹溝状縦折り目線９を介し、かつ開口部１５を形成しながら外側に観音開き状に略直角に折り曲げられて形成され、これら左右の補強リブ片部１４によって養生パネル押え板部８は支持されている。
【００２１】
なお、本実施例においては、補強リブ片部１４は左右対称に設けられているが、２片に限定されず、少なくとも２片であればよい。
【００２２】
又、補強リブ片部１４の下端面は、載置板部７の上面に密接するようになっている。
【００２３】
このようにして、養生パネル押え板部８は左右の補強リブ片部１４により支持されているが、更に養生パネル押え板部８の支持を強めるため、図３、図４及び図８に示されているように、それぞれの補強リブ片部１４の下端外側面に、プラスチックダンボール材1と同一のプラスチック段ボール材からなる補強片１６が重合接着されて、補強リブ片部１４と補強片１６との厚みにより載置板部７の上面との密接面積が大きくなって養生パネル押え板部８の支持が強化されるようになっている。
【００２４】
養生パネル押え板部８において、左右の開口部１５に挟まれた中央部位の縦方向には、例えば「養生中」、「整理整頓」、「火気厳禁」、「土足厳禁」、「安全第一」等の文字や図柄等１８を表示する表示部１７が設けられている。
【００２５】
なお、「養生中」等の文字や図柄等１８は、表示部１７に直接表示してもよく、又、文字や図柄等１８を現した無色或いはカラーのラベルを貼るようにしてもよい。
【００２６】
載置板部７において、その定置される床面１００との対接面には、該床面１００に密着して動かないようにするため、着脱自在な滑り止め部材１９が貼着されている。
【００２７】
この着脱自在な滑り止め部材１９の一例としては、下地にのりを残したり、色を残したりして下地を汚さないようにするため、着脱自在なシート部材２０が用いられる。
【００２８】
吸着脱自在なシート部材２０は、図５に示されているように、ポリプロピレン、ポリエチレン等の柔軟性、屈撓生に富むフィルム状基材２１の片面に連続微細孔２３を有する吸着盤構造のウレタンフォーム吸着層２２が形成されたもので、このシート部材２０は接着剤２４を介して載置板部７の裏面全体に接着される。
【００２９】
この着脱自在な滑り止め部材２０によれば、ウレタンフォーム吸着層２２の連続微細孔２３による吸盤作用によって、多少の水膜や塵埃があっても確実に密着して完全な滑り止め機能を有し、又、取り外しする場合にも、下地を剥がしたり、のりを残したりして、下地を汚すことなくきれいに、かつ容易に剥がすことができ、何回でも繰り返し使用することができる。
【００３０】
又、図6及び図7に示されているように、弱粘着ラバー網部材２５を滑り止め部材１９として用い、この弱粘着ラバー網部材１９を接着剤２４により載置板部７の裏面全体に接着すれば、着脱自在なシート部材２０と同様に、多少の水膜や塵埃があっても密着して完全な滑り止め機能を有し、又、取り外しする場合にも、下地を剥がしたり、のりを残したりして、下地を汚すことなくきれいに、かつ容易に剥がすことができ、何回でも繰り返し使用することができる。
【００３１】
このように構成された本起立保持具は、図８に例示されているように、床面１００上に適当な間隔でその載置板部７を載せることにより定置され、それぞれの養生パネル押え板部８で壁面１０１に沿って置かれた養生パネル１０２が一時的に起立状に押えられ、壁面１０１は養生パネル１０２により養生保護される。
【図面の簡単な説明】
【００３２】
【図１】本発明に係る建築途上又は引越し時における建築構造物の壁面養生パネルの起立保持具の一例を示す一部部材（補強片）を省略して示す展開図である。
【図２】図１の２−２線に沿った一部省略の拡大断面図である。
【図３】本発明に係る建築途上又は引越し時における建築構造物の壁面養生パネルの起立保持具の一例を示す正面図である。
【図４】図３の４−４線に沿った断面図である。
【図５】滑り止め部材の一例である吸着脱自在なシート部材を示す一部省略の断面図である。
【図６】滑り止め部材の他例である弱粘着のラバー網目状シート部材を示す一部省略の底面図である。
【図７】滑り止め部材の他例である弱粘着のラバー網目状シート部材を示す一部省略の断面図である。
【図８】使用状態を示す一部断面の側面図である。
【符号の説明】
【００３３】
１ プラスチックダンボール材
２、３ 板面  
４ 仕切部
５ 中空部
６ 凹溝状折り目線
７ 載置板部
８ 養生パネル押え板部
９ 凹溝状縦折り目線
１３ 切り込み
１４ 補強リブ片部
１６    補強片
１７ 表示部
１９ 着脱自在な滑り止め部材
２０ 吸着脱自在なシート部材
２１ フィルム状基材
２２ ウレタンフォーム吸着層
２３ 連続微細孔
２５ 弱粘着ラバー網部材
１００ 床面
１０１ 壁面
１０２ 養生パネル
【図１】
0003752500.tif 000002
【図２】
0003752500.tif 000003
【図３】
0003752500.tif 000004
【図４】
0003752500.tif 000005
【図５】
0003752500.tif 000006
【図６】
0003752500.tif 000007
【図７】
0003752500.tif 000008
【図８】
0003752500.tif 000009